(57)【要約】【課題】拡散燃焼方式および希薄燃焼方式の２系統の燃焼方式を組み合わせた複合燃焼方式が適用された燃焼器における着火性、保炎性および特に低負荷時における燃焼安定性を向上させることができるガスタービンエンジンの燃料噴霧装置を提供する。【解決手段】拡散燃焼のための燃料を噴霧する第１燃料噴霧部１０と、第１燃料噴霧部１０を囲むように設けられ、予混合燃焼のための燃料を噴霧する第２燃料噴霧部２０とを備えてなるガスタービンエンジンの燃料噴霧装置Ｕであって、第１燃料噴霧部１０と第２燃料噴霧部２０との間に、拡散燃焼領域の外縁を規定するエアカーテンを形成するエアカーテン形成部３０が設けられてなるものである。【選択図】図１
2007162998.tif 000002
【特許請求の範囲】
【請求項１】
拡散燃焼のための燃料を噴霧する第１燃料噴霧部と、該第１燃料噴霧部を囲むように設けられ、予混合燃焼のための燃料を噴霧する第２燃料噴霧部とを備えてなるガスタービンエンジンの燃料噴霧装置であって、
前記第１燃料噴霧部と前記第２燃料噴霧部との間に、拡散燃焼領域の外縁を規定するエアカーテンを形成するエアカーテン形成部が設けられてなることを特徴とするガスタービンエンジンの燃料噴霧装置。
【請求項２】
第１燃料噴霧部が、拡散燃焼用の燃料を噴射する二重壁構造とされた円筒状本体と、該本体内に配設されたインナスワーラと、前記円筒状本体からの燃料の噴霧角度を規定する噴霧ノズルと、前記円筒状本体と前記噴霧ノズルとの間に配設されたアウタスワーラとを有してなることを特徴とする請求項１記載のガスタービンエンジンの燃料噴霧装置。
【請求項３】
第１燃料噴霧部が、拡散燃焼用の燃料を噴射する有底円筒状本体と、該有底円筒状本体に外嵌された末広がりのノズル状の筒状内周壁と、該筒状内周壁の外方に配設された末広がりのノズル状の筒状中間壁と、該筒状中間壁の外方に配設された末広がりのノズル状の噴霧ノズルと、前記筒状内周壁と前記筒状中間壁との間に配設されたインナスワーラと、前記筒状中間壁と前記噴霧ノズルとの間に配設されたアウタスワーラとを有してなることを特徴とする請求項１記載のガスタービンエンジンの燃料噴霧装置。
【請求項４】
インナスワーラの影響力がアウタスワーラの影響力より少なくされてなることを特徴とする請求項３記載のガスタービンエンジンの燃料噴霧装置。
【請求項５】
エアカーテン形成部の空気噴射口が、噴霧ノズルの外縁に設けられてなることを特徴とする請求項２または３記載のガスタービンエンジンの燃料噴霧装置。
【請求項６】
第２燃料噴霧部が、予混合予備室と予混合室とを有してなることを特徴とする請求項１記載のガスタービンエンジンの燃料噴霧装置。
【請求項７】
燃料噴霧部が、燃料噴射部を含む内側ブロックと、燃料噴射部を含まない外側ブロックとからなり、前記内側ブロックと前記外側ブロックとが分離可能とされてなることを特徴とする請求項１記載のガスタービンエンジンの燃料噴霧装置。
【請求項８】
燃料噴霧部が、燃料噴射部を含む内側ブロックと、燃料噴射部を含まない外側ブロックとからなり、前記内側ブロックと前記外側ブロックとが一体化されてなることを特徴とする請求項１記載のガスタービンエンジンの燃料噴霧装置。
【請求項９】
請求項１ないし８のいずれか一項に記載のガスタービンエンジンの燃料噴霧装置を備えてなることを特徴とする燃焼器。
【発明の詳細な説明】
【技術分野】
【０００１】
本発明は、ガスタービンエンジンの燃料噴霧装置に関する。さらに詳しくは、拡散燃焼方式および希薄燃焼方式の２系統の燃焼方式を組み合わせた複合燃焼において、より安定した燃焼をなし得るガスタービンエンジンの燃料噴霧装置に関する。
【背景技術】
【０００２】
内燃機関の燃焼により排出される有害物質を低減することは環境保全のための急務であるが、ガスタービンエンジンにおいては、大型エンジンや航空機用エンジン等の場合に、高出力化の要請から圧力比が高くされる傾向にあり、それに伴って燃焼器入口における高温化、高圧化が進み、このことが、前記有害物質の一つであるＮＯｘ（窒素酸化物）の発生量をむしろ増加させる要因になっている。
【０００３】
このため、ガスタービンエンジンにおけるＮＯｘの発生量を低減するように、希薄燃焼方式や、ＲＱＬ（Rich burn Quick quench Lean burn: 過濃燃焼急速混合希薄燃焼）方式等の燃焼方式が提案され、これらの燃焼方式によるガスタービンエンジンが一部で実用化されている。
【０００４】
しかるに、前記低ＮＯｘ化のための希薄燃焼方式は、低負荷時における燃焼安定性に欠ける面があり、この不都合を解消するために、拡散燃焼方式と希薄燃焼方式の２系統の燃料方式を組み合わせた複合燃焼方式が提案されている（特許文献１、２、３、４、５参照）。
【０００５】
すなわち、希薄燃焼方式においては、大量の空気を燃料噴霧装置から導入する必要があるために、燃焼領域における局所燃料濃度が燃焼器出口の燃料濃度よりも格段に薄くなり、着火性や低負荷時の燃焼性能が低下するといった問題がある。このため、燃焼安定性に優れた拡散燃焼方式と希薄燃焼方式とを組み合わせることによって、前記不都合を解消しようとする複合燃焼方式が注目されている。
【０００６】
しかしながら、前記複合燃焼方式においては、希薄燃焼のために大量に導入される空気が拡散燃焼方式による燃焼に影響を及ぼし、その影響によって拡散燃焼方式による燃焼において、十分な着火性、保炎性や、低負荷時における燃焼安定性を得られないことがあるといった問題がある。
【０００７】
特に、航空機用ガスタービンエンジンにおいては、高空の低温、低圧の条件下での確実な着火が求められるとともに、アイドル時等の低負荷時におけるエミッションに関して各種規制がなされているため、前記希薄燃焼のために導入される空気による着火性や燃焼安定性の低下が、より大きな問題となり得る。
【特許文献１】特開平５−８７３４０号公報
【特許文献２】特開２００２−１１５８４７号公報
【特許文献３】特開２００２−１３９２２１号公報
【特許文献４】特開２００２−１６８４４９号公報
【特許文献５】特開２００３−４２３２号公報
【発明の開示】
【発明が解決しようとする課題】
【０００８】
本発明はかかる従来技術の課題に鑑みなされたものであって、拡散燃焼方式および希薄燃焼方式の２系統の燃焼方式を組み合わせた複合燃焼方式が適用された燃焼器における着火性、保炎性および特に低負荷時における燃焼安定性を向上させることができるガスタービンエンジンの燃料噴霧装置を提供することを目的としている。
【課題を解決するための手段】
【０００９】
本発明のガスタービンエンジンの燃料噴霧装置は、拡散燃焼のための燃料を噴霧する第１燃料噴霧部と、該第１燃料噴霧部を囲むように設けられ、予混合燃焼のための燃料を噴霧する第２燃料噴霧部とを備えてなるガスタービンエンジンの燃料噴霧装置であって、前記第１燃料噴霧部と前記第２燃料噴霧部との間に、拡散燃焼領域の外縁を規定するエアカーテンを形成するエアカーテン形成部が設けられてなることを特徴とする。
【００１０】
本発明のガスタービンエンジンの燃料噴霧装置においては、第１燃料噴霧部が、拡散燃焼用の燃料を噴射する二重壁構造とされた円筒状本体と、該本体内に配設されたインナスワーラと、前記円筒状本体からの燃料の噴霧角度を規定する噴霧ノズルと、前記円筒状本体と前記噴霧ノズルとの間に配設されたアウタスワーラとを有してなるのが好ましい。
【００１１】
また、本発明のガスタービンエンジンの燃料噴霧装置においては、第１燃料噴霧部が、拡散燃焼用の燃料を噴射する有底円筒状本体と、該有底円筒状本体に外嵌された末広がりのノズル状の筒状内周壁と、該筒状内周壁の外方に配設された末広がりのノズル状の筒状中間壁と、該筒状中間壁の外方に配設された末広がりのノズル状の噴霧ノズルと、前記筒状内周壁と前記筒状中間壁との間に配設されたインナスワーラと、前記筒状中間壁と前記噴霧ノズルとの間に配設されたアウタスワーラとを有してなるのが好ましい。その場合、インナスワーラの影響力がアウタスワーラの影響力より少なくされてなるのがさらに好ましい。
【００１２】
さらに、本発明のガスタービンエンジンの燃料噴霧装置においては、エアカーテン形成部の空気噴射口が、噴霧ノズルの外縁に設けられてなるのが好ましい。
【００１３】
さらに、本発明のガスタービンエンジンの燃料噴霧装置においては、第２燃料噴霧部が、予混合予備室と予混合室とを有してなるのが好ましい。
【００１４】
さらに、本発明のガスタービンエンジンの燃料噴霧装置においては、燃料噴霧部が、燃料噴射部を含む内側ブロックと、燃料噴射部を含まない外側ブロックとからなり、前記内側ブロックと前記外側ブロックとが分離可能とされていてもよく、あるいは前記内側ブロックと前記外側ブロックとが一体化されていてもよい。
【００１５】
しかして、この燃料噴霧装置は燃焼器に備えられる。
【発明の効果】
【００１６】
本発明のガスタービンエンジンの燃料噴霧装置は、前記の如く構成されているので、拡散燃焼方式および希薄燃焼方式の２系統の燃焼方式を組み合わせた複合燃焼方式が適用された燃焼器における着火性、保炎性および特に低負荷時における燃焼安定性を向上させることができるという優れた効果が得られる。
【発明を実施するための最良の形態】
【００１７】
以下、添付図面を参照しながら本発明を実施形態に基づいて説明するが、本発明はかかる実施形態のみに限定されるものではない。
【００１８】
実施形態１
図１に、本発明の実施形態１に係るガスタービンエンジンの燃料噴霧装置を一部断面図により示す。図２に、その要部拡大図を示す。図３に、同燃料噴霧装置による噴霧パターンを模式的に示す。
【００１９】
燃料噴霧装置Ｕは、全体は図示しないガスタービンエンジンの燃焼器に設けられるものであり、図１に示すように、拡散燃焼のための第１燃料供給系統Ｆ１からの燃料を拡散燃焼領域Ａ１（図３参照）に向かって噴霧する第１燃料噴霧部１０と、第１燃料噴霧部１０を囲むようにその径方向外方に設けられ、希薄燃焼のための第２燃料供給系統Ｆ２からの燃料を予混合しながら予混合燃焼領域Ａ２（図３参照）に噴霧する第２燃料噴霧部２０と、拡散燃焼領域Ａ１の外縁を規定するエアカーテンを形成するエアカーテン形成部３０とを備えてなるものとされる。
【００２０】
ここで、燃料噴霧装置Ｕは、概ね軸対象の構造を有しているので、図の符号は原則としてその上半分のみに付すものとしている。
【００２１】
以下、第１燃料噴霧部１０を説明する。
【００２２】
第１燃料噴霧部１０は、図２に示すように、内側円筒状体１１と外側円筒状体１２とからなる、中心部に位置し拡散燃焼用燃料を供給する筒状二重壁の本体１３と、本体１３の外方で同心円状に配置されたベンチュリーノズル状噴霧ノズル１４と、内側円筒状体１１内に環状に配設されたインナスワーラ１５と、外側円筒状体１２と噴霧ノズル１４との間に配設されたアウタスワーラ１６とを備え、第１燃料供給系統Ｆ１からの燃料を本体１３下流側端内面に設けられた噴射口１３ａまで送るための燃料送給路１３ｂが、内側円筒状体１１と外側円筒状体１２との間隙に形成されてなるものとされる。そして、第１燃料噴霧部１０は、燃料送給路１３ｂにより送給された燃料を噴射口１３ａから噴射し、噴射された燃料をインナスワーラ１５からの空気で微粒化（一次微粒化）し、一次微粒化された燃料を噴霧ノズル１４内でアウタスワーラ１６からの旋回気流によりさらに微粒化（二次微粒化）して霧状に燃焼室内に噴霧する。
【００２３】
ここで、本体１３は、後掲の第２燃料噴霧部２０の本体２４とともに、第１燃料供給系統Ｆ１の燃料配管Ｔ（図１参照）と接続された基部４０（図４参照）により、支持されている。
【００２４】
噴霧ノズル１４は、噴射口１３ａから噴射された燃料が、所定の広がり角を有するよう形状および取付位置が調整されている。つまり、円筒部１４ａが外側円筒状体１２下流側外方に位置させられ、最小内径部（絞り部）１４ｂが噴射口１３ａの下流側所定位置となるようにされ、末広がりの拡径部１４ｃの角度が所定角度とされている。
【００２５】
アウタスワーラ１６は、噴霧ノズル１４の円筒部１４ａと外側円筒状体１２との間に配設されている。
【００２６】
しかして、噴射口１３ａから噴射される燃料は、図２に示すように、外側円筒状体１２の下流部１２ａが先細円錐台状とされていることにより、本体１３の中心軸に向けて斜めに膜状に噴射される。そして、この膜状に噴射された燃料は、インナスワーラ１５からの空気により微粒化されて噴出口１３ｃから噴射され、さらにアウタスワーラ１６からの旋回気流により噴霧ノズル１４内でさらに微粒化され霧状にされて燃焼室内に噴霧される。
【００２７】
次に、第２燃料噴霧部２０を説明する。
【００２８】
第２燃料噴霧部２０は、図２に示すように、内側円筒状体２１と外側円筒状体２２とからなり、噴霧ノズル１４の外方にて基部４０の蓋状部２３により上流側端部開口が閉塞されかつ基部４０により支持された、予混合燃焼用燃料を供給する筒状二重壁の本体２４と、本体２４外方で同心円状に配置された筒状中間壁２５と、筒状中間壁２５外方で同心円状に配置された筒状外周壁２６と、筒状中間壁２５と筒状外周壁２６との間を仕切る円筒状仕切壁２７と、筒状中間壁２５と円筒状仕切壁２７との間の予混合予備室４１に配設されたインナスワーラ２８と、円筒状仕切壁２７と筒状外周壁２６との間に配設されたアウタスワーラ２９とを備え、第２燃料供給系統Ｆ２からの燃料を外側円筒状体２２下流側外周に所定間隔を設けて穿設された噴射口２２ａまで送るための燃料送給路２４ａが、内側円筒状体２１と外側円筒状体２２との間隙に形成され、筒状中間壁２５と筒状外周壁２６とにより予混合室４２が画成され、燃料送給路２４ａにより送給された燃料を噴射口２２ａから予混合予備室４１に噴射し、噴射された燃料をインナスワーラからの空気で微粒化（一次微粒化）し、微粒化された燃料を予混合室４２内でアウタスワーラ２９からの旋回気流によりさらに微粒化（二次微粒化）しながら予混合して燃焼室内に噴霧するものとされる。
【００２９】
ここで、内側円筒状体２１の内径は、図２に示すように、噴霧ノズル１４の円筒部１４ａの外径より大きくされ、内側円筒状体２１と噴霧ノズル１４の円筒部１４ａとの間にエアカーテン形成部３０の空気導入路３１が形成されるようにされている。
【００３０】
筒状中間壁２５は、図２に示すように、外側円筒状体２２のほぼ半分（下流側部分）を覆うようにされるとともに、その下流側端は噴霧ノズル１４の下流側端に一致させられている。また、筒状中間壁２５の噴射口２２ａに対応する位置には噴射された燃料を予混合予備室４１に導入するために導入口２５ａが設けられている。
【００３１】
ここで、筒状中間壁２５と外側円筒状体２２とは例えば所定本数のピンＢにより相互に留められるものとされており、ピンＢを取り外すことによって、筒状中間壁２５と外側円筒状体２２との嵌め合いを解除することが可能とされる。
【００３２】
また、筒状中間壁２５と円筒状仕切壁２７とは、インナスワーラ２８を介し連結され、円筒状仕切壁２７および筒状外周壁２６とはアウタスワーラ２９を介して連結されるとともに、筒状中間壁２５はさらに蓋部材３３を介して噴霧ノズル１４と連結されており、これら連結された各部材は、１つのブロック（以下、外側ブロックという）ＯＰを形成している。この外側ブロックＯＰは、前記筒状中間壁２５と外側円筒状体２２との嵌め合いを解除することによって、後掲の内側ブロックＩＰとの分離が可能とされている。
【００３３】
円筒状仕切壁２７は、上流側端を筒状中間壁２５の上流側端に一致させられるとともに、下流側端が導入口２５ａの所定距離下流側に位置するようその長さが調整されている。
【００３４】
筒状外周壁２６は、上流側端が円筒状仕切壁２７の上流側端から所定距離下流側に位置させられて段状とされ、下流側端は筒状中間壁２５の下流側端に一致させられている。また、筒状外周壁２６の下流側部には燃料噴霧装置Ｕを燃焼器に取り付けるための取付部２６ａが鍔状に形成されている。
【００３５】
インナスワーラ２８は筒状中間壁２５と円筒状仕切壁２７との間の上流側部に設けられる。
【００３６】
アウタスワーラ２９は円筒状仕切壁２７と筒状外周壁２６との間の上流側部に設けられる。
【００３７】
しかして、噴射口２２ａにより噴射され導入口２５ａより予混合予備室４１に導入された燃料は、インナスワーラ２８からの気流により微粒化（一次微粒化）された後、アウタスワーラ２９からの旋回気流によりさらに微粒化（二次微粒化）されて予混合室４２で予混合され、燃焼室内に噴霧される。
【００３８】
次に、エアカーテン形成部３０について説明する。
【００３９】
エアカーテン形成部３０は、図２に示すように、噴霧ノズル１４と筒状中間壁２５とにより画成される貯留室３２と、噴霧ノズル１４と筒状中間壁２５との下流側端部を塞ぐリング状の蓋部材３３とを備えてなるものとされる。
【００４０】
ここで、蓋部材３３には、図２に示すように、上流側外周部内面から下流側内周部外面（燃焼室に面する面）に連通する空気流路３４が形成されている。つまり、上流側外周部内面に空気導入口３３ａ、および下流側内周部外面に空気噴射口３３ｂを有する空気流路３４が形成されている。そして、この空気流路３４により蓋部材３３が空冷されるとともに、燃焼室内にエアカーテン形成用空気が供給される。
【００４１】
しかして、噴霧ノズル１４と内側円筒状体２１との間に形成された空気導入路３１から貯留室３２に導入された空気は、蓋部材３３を冷却しながら空気噴射口３３ｂから燃焼室内に噴射されてエアカーテンを形成する。このエアカーテンにより、噴霧ノズル１４から燃焼室内の拡散燃焼流域Ａ１に噴霧された燃料は、パターンＰのようになってその広がりが規制され、それがため燃料は予混合領域Ａ２の空気と混合することはない（図３参照）。また、噴霧された燃料は、エアカーテンを形成している空気によりさらに微粒化（三次微粒化）される。したがって、安定した拡散燃焼が達成される。この安定した拡散燃焼の達成は、エアカーテン形成用空気の空気噴射口３３ｂが、予混合室４２の内側端より所定距離Ｌだけ内側とされていることにより、より確実なものとされる。
【００４２】
次に、基部４０を説明する。図４に、燃料噴霧装置Ｕの一部の背面図を示す。
【００４３】
基部４０は、図４に示すように、第１燃料噴霧部１０の本体１３を支持するための小径のリング状部材である内側支持部４０ａと、第２燃料噴霧部２０の本体２４の上流側端部開口を閉塞するとともに本体２４を支持するための大径のリング状部材である前記蓋状部２３とを有する。内側支持部４０ａの中央にはインナスワーラ用通風孔４０ｂが設けられるとともに、内側支持部４０ａと蓋状部２３との間には、連結部４０ｃ、４０ｃにより２分されたアウタスワーラ用通風孔４０ｄ、４０ｄが設けられている。
【００４４】
このように、基部４０は、第１燃料噴霧部１０の本体１３および第２燃料噴霧部２０の本体２４と連結されて、１つの連結体（以下、内側ブロックという）ＩＰを形成しており、前掲の通り、筒状中間壁２５と外側円筒状体２２との嵌め合いを解除することにより、前記内側ブロックＩＰと燃料噴射部を含まない外側ブロックＯＰとの分離が可能とされる。
【００４５】
図５に、外側ブロックＯＰと分離された内側ブロックＩＰを示す。図６に、その正面図を示す。
【００４６】
この構成によって、不図示の燃焼器ケーシングから内側ブロックＩＰのみを取り外してメンテナンス等を行うことが可能となる。また、引き抜きのために燃焼器ケーシングに設ける空間が、内側ブロックＩＰのみの分だけでよくなり、その結果、燃焼器ケーシングの軽量化が可能となる。
【００４７】
このように、この実施形態１によれば、拡散燃焼方式および希薄燃焼方式の２系統の燃焼方式を組み合わせた、いわゆる複合燃焼方式が適用された燃焼器における、着火性、保炎性および低負荷時の燃焼安定性が向上させることがでる。また、燃焼器の小型・軽量化も達成される。
【００４８】
実施形態２
図７に本発明の実施形態２の燃料噴霧装置Ｕ１を示す。実施形態２は、実施形態１を改変してなるものであり、拡散燃焼のための第１燃料噴霧部１０を改変したものである。第１燃料噴霧部１０Ａ以外の構成は、実施形態１と同一であるため、その符号を流用し、詳細説明は省略する。
【００４９】
以下、第１燃料噴霧部１０Ａについて説明する。
【００５０】
第１燃料噴霧部１０Ａは、図７に示すように、拡散燃焼用の燃料を供給する有底筒状の本体５１と、本体５１に外嵌された筒状内周壁５２と、筒状内周壁５２外方で同心円状に配置された筒状中間壁５３と、筒状中間壁５３外方で同心円状に配置されたベンチュリーノズル状噴霧ノズル５４と、筒状内周壁５２と筒状中間壁５３との間に配設されたインナスワーラ５５と、筒状中間壁５３と噴霧ノズル５４との間に配設されたアウタスワーラ５６とを備え、本体５１下流側端部には、第１燃料供給系統Ｆ１からの本体５１内部に供給された燃料を噴射する噴射口５１ａが形成されてなるものとされる。そして、第１燃料噴霧部１０Ａは、本体５１内部に送給された燃料を噴射口５１ａから噴射し、噴射された燃料をインナスワーラ５５からの空気で微粒化（一次微粒化）し、一次微粒化された燃料を噴霧ノズル５４内でアウタスワーラ５６からの旋回気流によりさらに微粒化（二次微粒化）して霧状に燃焼室内に噴霧する。
【００５１】
ここで、本体５１は第２燃料噴霧部２０の本体２４とともに基部４０により支持されており、第１燃料噴霧部１０Ａの本体５１、第２燃料噴霧部２０の本体２４および基部４０が内側ブロックＩＰを形成している。また、筒状内周壁５２、筒状中間壁５３およびベンチュリーノズル状噴霧ノズル５４は、筒状外周壁２６とともに筒状中間壁２５に連結されて、外側ブロックＯＰを形成している。
【００５２】
このように、実施形態２においても、筒状中間壁２５と外側円筒状体２２との嵌め合いを解除することにより、内側ブロックＩＰと外側ブロックＯＰとの分離が可能であり、実施形態１と同様の作用効果が得られる。
【００５３】
また、筒状内周壁５２および筒状中間壁５３は流路の急激な縮小が生じないようにするため、噴霧ノズル５４の絞り部５４ａに対応させた絞り部５２ａ，６３ａを有する末広がりノズル状に形成されている。そして、筒状内周壁５２の噴射口５１ａに対応した箇所には筒状内周壁５２と筒状中間壁５３とにより画成される空間に燃料を導入する導入口５２ｂが設けられている。
【００５４】
筒状中間壁５３の上流側端は、図７に示すように、筒状内周壁５２の上流側端に一致させられるとともに、下流側端は筒状内周壁５２の下流側端より所定距離下流側で噴霧ノズル５４内に位置するようその長さが調整されている。
【００５５】
噴霧ノズル５４の上流側端は、図７に示すように、筒状中間壁５３の上流側端より所定距離下流側に位置させられて段状とされている。
【００５６】
インナスワーラ５５は筒状内周壁５２と筒状中間壁５３との間の上流側部に設けられる。
【００５７】
アウタスワーラ５６は筒状中間壁５３と噴霧ノズル５４の円筒部５４ｂとの間の上流側部に設けられる。
【００５８】
しかして、噴射口５１ａにより噴射され導入口５２ａより筒状内周壁５２と筒状中間壁５３とにより画成される空間（一次微粒化空間）５７に導入された燃料は、インナスワーラ５５からの気流により微粒化（一次微粒化）された後、アウタスワーラ５６からの旋回気流によりさらに微粒化（二次微粒化）され、燃焼室内に噴霧される。
【００５９】
以下、実施形態１と同様である。
【００６０】
このように、実施形態２によれば、第１燃料噴霧部１０Ａの構成の簡素化を図りながら、拡散燃焼方式および希薄燃焼方式の２系統の燃焼方式を組み合わせた、いわゆる複合燃焼方式が適用された燃焼器における、着火性、保炎性および低負荷時の燃焼安定性を向上できる。
【００６１】
実施形態３
図８に本発明の実施形態３の燃料噴霧装置Ｕ２を示す。実施形態３は、実施形態２を改変してなるものであり、拡散燃焼のための第１燃料噴霧部１０Ａを改変したものである。すなわち、第１燃料噴霧部１０Ｂにおいては、筒状内周壁５２および筒状中間壁５３の上流側端を噴霧ノズル５４の上流端に一致させ、インナスワーラ５５を小さくしてその影響力、つまり旋回力を少なくしてなるものである。
【００６２】
なお、その余の構成および作用・効果の実施形態２と同様であるので、その詳細な説明は省略する。
【００６３】
このように、実施形態３においては、インナスワーラ５５の影響力を少なくしているので、噴霧ノズル５４による噴霧燃料の角度規制がより確実になされ、その結果より安定した拡散燃焼が達成される。
【００６４】
実施形態４
図９に本発明の実施形態４の燃料噴霧装置Ｕ３を示す。実施形態４は、実施形態３を改変してなるものであり、第２燃料噴霧部２０およびエアカーテン形成部３０を改変したものである。
【００６５】
すなわち、第２燃料噴霧部２０においては、筒状中間壁２５Ａの径を一定とし、予混合室４２Ａを幅一定に形成している。これにより、各部材の形状が単純になり、その製造が容易となる。
【００６６】
エアカーテン形成部３０Ａにおいては、前記筒状中間壁２５Ａの径を一定としたのに伴って、予混合室４２Ａの内側端とエアカーテン形成用空気の空気噴射口３３Ａｂとの間の距離Ｌ１を実施形態３における距離Ｌよりも短くするとともに、貯留室３２Ａを小さくしている。したがって、エアカーテン形成部３０の径方向の幅が小さくなり、燃料噴霧装置Ｕ３を小型化することが容易となる。
【００６７】
反面、距離Ｌ１を小さくすることによって、希薄燃焼のために導入される空気が拡散燃焼に影響を及ぼしやすくなる。しかしながら、ガスタービンの要求仕様により距離Ｌ１を小さくしてもエアカーテン形成部３０によるエアカーテンのみにより充分に前記影響を抑え得る場合には、本実施形態４のように第２燃料噴霧部２０およびエアカーテン形成部３０を構成するのが、製造の容易化および装置の小型化の点では望ましい。
【００６８】
なお、その余の構成および作用・効果は実施形態３と同様であるので、その詳細な説明は省略する。
【００６９】
このように、実施形態４においては、予混合室４２Ａの内側端とエアカーテン形成用空気の空気噴射口３３Ａｂとの間の距離Ｌ１を小さくしているので、燃料噴霧装置の小型化が容易となるとともに、筒状中間壁２５Ａの形状も単純になるので、その設計および製造が容易となる。
【００７０】
実施形態５
図１０に本発明の実施形態５の燃料噴霧装置Ｕ４を示す。実施形態５は、実施形態１を改変してなるものであり、第２燃料噴霧部２０およびエアカーテン形成部３０を改変してなるとともに、外側ブロックＯＰおよび内側ブロックＩＰを一体化してなるものである。
【００７１】
すなわち、第２燃料噴霧部２０Ｂにおいては、燃料送給路２４Ｂａを、一体的に形成された内側円筒状体２１Ｂと筒状中間壁２５Ｂとにより画成し、実施形態１における外側円筒状体２２は省略している。このため、燃料送給路２４Ｂａにより送給される燃料は、噴射口２２ａから直接的に予混合予備室４１Ｂに導入される。また、実施形態４と同様に、筒状中間壁２５Ｂの径を一定としている。
【００７２】
ここで、外側ブロックＯＰおよび内側ブロックＩＰが一体化されているところから、筒状外周壁２６Ｂには鍔状の取付部は設けられていない。
【００７３】
また、エアカーテン形成部３０Ｂにおいては、筒状中間壁２５Ｂの径を一定としたのに伴って、予混合室４２Ｂの内側端とエアカーテン形成用空気の空気噴射口３３Ｂｂとの間の距離Ｌ２を実施形態１における距離Ｌよりも短くしている。この距離Ｌ２を実施形態１における距離Ｌよりも短くしたことによる得失は、実施形態４と同様である。
【００７４】
なお、その余の構成および作用・効果は実施形態１と同様であるので、その詳細な説明は省略する。
【００７５】
このように、実施形態５においては、外側円筒状体２２を省略し、燃料送給路２４Ｂａを画成する内側円筒状体２１Ｂと筒状中間壁２５Ｂとを一体的に形成したので、前記実施形態１〜４とは異なり、外側ブロックＯＰと内側ブロックＩＰとを分離することはできない。しかしながら、これにより部品点数が削減されるために、燃料噴霧装置の製造が容易となるとともに、コスト低減が図られる。
【００７６】
実施形態６
図１１に本発明の実施形態６の燃料噴霧装置Ｕ５を示す。実施形態６は、実施形態３を改変してなるものであり、第２燃料噴霧部２０およびエアカーテン形成部３０を実施形態５におけると同様に改変してなるものである。
【００７７】
すなわち、第２燃料噴霧部２０Ｂにおいては、燃料送給路２４Ｂａを、一体的に形成された内側円筒状体２１Ｂと筒状中間壁２５Ｂとにより画成し、実施形態３における外側円筒状体２２は省略している。また、実施形態４と同様に、筒状中間壁２５Ｂの径を一定としている。
【００７８】
ここで、外側ブロックＯＰおよび内側ブロックＩＰが一体化されているところから、筒状外周壁２６Ｂには鍔状の取付部は設けられていない。
【００７９】
また、エアカーテン形成部３０Ｂにおいては、筒状中間壁２５Ｂの径を一定としたのに伴って、予混合室４２Ｂの内側端とエアカーテン形成用空気の空気噴射口３３Ｂｂとの間の距離Ｌ２を実施形態３における距離Ｌよりも短くしている。この距離Ｌ２を実施形態１における距離Ｌよりも短くしたことによる得失は、実施形態４と同様である。
【００８０】
なお、その余の構成および作用・効果の実施形態３と同様であるので、その詳細な説明は省略する。
【００８１】
このように、実施形態６においては、実施形態５と同様に、外側円筒状体２２を省略し、燃料送給路２４Ｂａを画成する内側円筒状体２１Ｂと筒状中間壁２５Ｂとを一体的に形成したので、前記実施形態１〜４とは異なり、外側ブロックＯＰと内側ブロックＩＰとを分離することはできない。しかしながら、これにより部品点数が削減されるために、燃料噴霧装置の製造が容易となる。
【００８２】
実施形態７
図１２に本発明の実施形態７の燃料噴霧装置Ｕ６を示す。実施形態７は、実施形態３を改変するとともに、外側ブロックＯＰおよび内側ブロックＩＰを一体化してなるものである。
【００８３】
すなわち、第１燃料噴霧部１０Ｃにおいては、筒状内周壁５２Ｃ、筒状中間壁５３Ｃおよび噴射ノズル５４Ｃを末広がりではなく径一定としている。
【００８４】
第２燃料噴霧部２０Ｂにおいては、実施形態５および実施形態６におけると同様に、燃料送給路２４Ｂａを、一体的に形成された内側円筒状体２１Ｂと筒状中間壁２５Ｂとにより画成し、実施形態３の外側円筒状体２２は省略している。また、実施形態４と同様に、筒状中間壁２５Ｂの径を一定としている。
【００８５】
ここで、外側ブロックＯＰおよび内側ブロックＩＰが一体化されているところから、筒状外周壁２６Ｂには鍔状の取付部は設けられていない。
【００８６】
また、エアカーテン形成部３０Ｃにおいては、噴射ノズル５４Ｃおよび筒状中間壁２５Ｂの径を一定としたのに伴って、貯留室３２Ｃの周方向断面形状を単純な矩形としている。また、予混合室４２Ｂの内側端とエアカーテン形成用空気の空気噴射口３３Ｃｂとの間の距離Ｌ３を実施形態３における距離Ｌよりも短くしている。この距離Ｌ３を実施形態１における距離Ｌよりも短くしたことによる得失は、実施形態４と同様である。
【００８７】
なお、その余の構成および作用・効果の実施形態３と同様であるので、その詳細な説明は省略する。
【００８８】
このように、実施形態７においては、筒状内周壁５２Ｃ、筒状中間壁５３Ｃおよび噴射ノズル５４Ｃを末広がりではなく径一定とし、かつ内側円筒状体２１Ｂと筒状中間壁２５Ｂとを一体的に形成しているので、各部の形状が単純になり、製造が容易となると共に、部品点数を削減することができる。
【産業上の利用可能性】
【００８９】
本発明は、拡散燃焼方式および希薄燃焼方式の２系統の燃焼方式を組み合わせた複合燃焼方式が適用された燃焼器に適用できる。
【図面の簡単な説明】
【００９０】
【図１】本発明の実施形態１に係るガスタービンエンジンの燃料噴霧装置を一部断面で示す概略図である。
【図２】同燃料噴霧装置の一部断面で示す詳細図である。
【図３】同燃料噴霧装置による燃料の噴霧パターンを示す模式図である。
【図４】同燃料噴霧装置の基部の詳細を示す背面図である。
【図５】同燃料噴霧装置を分離可能部分で分離した様子を一部断面で示す詳細図である。
【図６】図５における正面図である。
【図７】本発明の実施形態２の図２相当図である。
【図８】本発明の実施形態３の図２相当図である。
【図９】本発明の実施形態４の図２相当図である。
【図１０】本発明の実施形態５の図２相当図である。
【図１１】本発明の実施形態６の図２相当図である。
【図１２】本発明の実施形態７の図２相当図である。
【符号の説明】
【００９１】
１０      第１燃料噴霧部
１３      本体
１３ａ    噴射口
１４      噴霧ノズル
１５      インナスワーラ
１６      アウタスワーラ
２０      第２燃料噴霧部
２４      本体
２８      インナスワーラ
２９      アウタスワーラ
３０      エアカーテン形成部
３１      空気導入路
３２      貯留室
３３      蓋部材
３４      空気流路
４１      予混合予備室
４２      予混室
Ｕ      燃料噴霧装置
Ａ１    拡散燃焼領域
Ａ２    予混合燃焼領域
Ｐ      噴霧パターン
Ｆ１    第１燃料供給系統
Ｆ２    第２燃料供給系統
ＩＰ    内側ブロック
ＯＰ    外側ブロック
【図１】
2007162998.tif 000003
【図２】
2007162998.tif 000004
【図３】
2007162998.tif 000005
【図４】
2007162998.tif 000006
【図５】
2007162998.tif 000007
【図６】
2007162998.tif 000008
【図７】
2007162998.tif 000009
【図８】
2007162998.tif 000010
【図９】
2007162998.tif 000011
【図１０】
2007162998.tif 000012
【図１１】
2007162998.tif 000013
【図１２】
2007162998.tif 000014